(57)【要約】【課題】紙目方向と開封方向が異なる場合であっても、所望する開封方向に開封され、途中から紙目方向に向かって開封することのない紙パウチが求められていた。【解決手段】開封ノッチの開封方向と紙目方向が異なる方向であって、紙層の表面または裏面または両面において開封ノッチの開封方向が紙目方向への進行を阻害する位置に剥離層が設けられている剥離層付き紙層を有することを特徴とする紙パウチを提供する。  特に剥離層が剥離ニス層であることを特徴とする紙パウチ、開封ノッチが端部より上部へ向かう斜め方向に設けられており、開封ノッチの延長線より内側に剥離層が設けられている紙パウチ、剥離層付き紙層の内面にシーラント層を有し、シーラント層どうしが一部の辺または全部の辺で対面して接着しているパウチが好ましい。【選択図】図１
2017137109.tif 000002
【特許請求の範囲】
【請求項１】
開封ノッチの開封方向と紙目方向が異なる方向であって、紙層の表面または裏面または両面において開封ノッチの開封方向が紙目方向への進行を阻害する位置に剥離層が設けられている剥離層付き紙層を有することを特徴とする紙パウチ。
【請求項２】
剥離層が剥離ニス層であることを特徴とする請求項１記載の紙パウチ。
【請求項３】
開封ノッチが端部より上部へ向かう斜め方向に設けられており、開封ノッチの延長線より内側に剥離層が設けられている請求項１または２記載の紙パウチ。
【請求項４】
剥離層付き紙層の内面にシーラント層を有し、シーラント層どうしが一部の辺または全部の辺で対面して接着していることによりパウチとなっている請求項１から３何れか記載の紙パウチ。
【請求項５】
剥離層付き紙層とシーラント層との間に支持層を有する請求項４記載の紙パウチ。
【請求項６】
剥離層付き紙層の外面に最外層を有する請求項１から５何れか記載の紙パウチ。
【請求項７】
電子レンジ用パウチである請求項１から６何れか記載の紙パウチ。
【発明の詳細な説明】
【技術分野】
【０００１】
本発明は、開封方向と紙目の方向が異なる紙パウチに関する。
【背景技術】
【０００２】
紙パウチに限らず多くのパウチにおいては、開封しやすいように開封のきっかけとなるようなノッチを設けることがよく行われている。
【０００３】
そして、このようなノッチを形成する場合は、そのノッチの延長方向に開封する様に誘導するのが普通である。
【０００４】
このようなノッチにより設けられる開封口は、用途により各種の形態があり、シール幅方向に広く開口させる場合の他、詰め替えなどの用途においては開口幅をパウチの幅よりも狭くするために特許文献１のように隅に開封口を設けることが行われている。この場合、隅に開封口を設ける場合の開口端緒として開口下端となる辺シール部に上方に向かっての斜めのノッチが設けられ、そのノッチの延長方向に延長して引き裂けば、所望の開口を得ることができる。
【０００５】
また、特許文献１のように紙パウチの場合も同様にノッチを設けてその延長方向に開口させることで開口形状を誘導することが行われていた。
【先行技術文献】
【特許文献】
【０００６】
【特許文献１】特開２０００−３２６９９０公報
【特許文献２】特開２０１２−１９２９５３号公報
【発明の概要】
【発明が解決しようとする課題】
【０００７】
しかしながら、紙パウチの場合は、紙の繊維方向を紙目方向というが、その紙目方向に切れやすい性質がある。この紙目方向と開封方向が揃っていれば、開封方向にきれいに開封することができるが、紙目方向と開封方向が異なる場合は、所望する開封方向に開封されず、途中から紙目方向に向かって開封してしまい、異形な開封口になる場合があった。この場合、例えば詰め替え用途などの場合、開封幅が異様に広くなってしまい、きれいに詰め替えることができず、内容物が漏れてしまう場合があった。また、そこまでいかなくても開封予定の開封口になってしまえば、その変形した部分より内容物が漏れる場合もあった。
【０００８】
これを防止するためには開封方向と同一の紙目方向の紙を用いれば良いが、紙の製造方法の関係上斜め方向に紙目を持つ用紙を製造するためには特殊な設備を必要であり、また、価格が高いものになってしまい、通常入手できる紙の紙目は縦方向か横方向のものだけである。このような紙から、無理に斜めの紙目方向の紙パウチにするためには斜めに紙取りする必要があるが、それでは端部に三角の不要部分ができてしまい、資源的に無駄であるばかりか、通常不要な斜め断裁工程が必要になってしまい実用的ではない。
【０００９】
そこで、紙目方向と開封方向が揃っていない場合であっても紙目方向に向かって開封されることなく、紙目方向とは異なる開封方向に向かって開封できる紙パウチが求められていた。
【課題を解決するための手段】
【００１０】
本発明は上記課題を鑑みてなされたものであって、請求項１に記載の発明は、開封ノッチの開封方向と紙目方向が異なる方向であって、紙層の表面または裏面または両面において開封ノッチの開封方向が紙目方向への進行を阻害する位置に剥離層が設けられている剥離層付き紙層を有することを特徴とする紙パウチを提供するものである。
【００１１】
請求項２に記載の発明は、剥離層が剥離ニス層であることを特徴とする請求項１記載の紙パウチを提供するものである。
【００１２】
請求項３に記載の発明は、開封ノッチが端部より上部へ向かう斜め方向に設けられており、開封ノッチの延長線より内側に剥離層が設けられている請求項１または２記載の紙パウチを提供するものである。
【００１３】
請求項４に記載の発明は、剥離層付き紙層の内面にシーラント層を有し、シーラント層どうしが一部の辺または全部の辺で対面して接着していることによりパウチとなっている請求項１から３何れか記載の紙パウチを提供するものである。
【００１４】
請求項５に記載の発明は、剥離層付き紙層とシーラント層との間に支持層を有する請求項４記載の紙パウチを提供するものである。
【００１５】
請求項６に記載の発明は、剥離層付き紙層の外面に最外層を有する請求項１から５何れか記載の紙パウチを提供するものである。
【００１６】
請求項７に記載の発明は、電子レンジ用パウチである請求項１から６何れか記載の紙パウチを提供するものであるを提供するものである。
【発明の効果】
【００１７】
この発明によれば、剥離層の存在により、紙と他の層の間の接着強度が、例えば１．０Ｎ／１５ｍｍ以下になれば引裂き性が悪くなり、その剥離層を有する部分へ開封が進みにくくなる。このような現象により、開封方向と紙目方向が異なる場合であっても、開封方向が途中から紙目方向へ反れるのが剥離層により阻止され、開封方向に向かって意図とおり開封することが可能になった。これは、紙に剥離層が接着すると、それにより剥離層付き紙層の剥離層がある部分の引裂強度が高くなり、紙目が剥離層のある方向に進んでも、そちらの方向へ開封が進まず、剥離層がある部分の端部に沿って開封が進む。これにより、所望の開封方向に開封が進んだ開封口となる紙パウチとすることができる。
【００１８】
これにより、開封方向にきれいに開封することができるようになり、例えば詰め替え用途などの場合でも、開封幅が適切な開口幅となり、また、開口端もきれいになったために、詰替え等の時点において内容物が漏れてしまう様なことがなくなった。
【００１９】
また、無理に斜めの紙目方向の紙パウチにするためには斜めに紙取りする必要もなくなり、資源が有効利用できるばかりではなく、断裁工程等が不要になり、価格競争力も高い紙パウチとなった。
【００２０】
特に、このような剥離層の存在により引裂き性が低くなるには、電子レンジ用途において加熱することにより紙層から水蒸気が発生し、剥離部で層間剥離現象がおきるので好ましい。
【００２１】
なお、電子レンジ用パウチでない場合であっても、剥離強度が低下しているので相応の効果はあるが、効果を高めるためには加熱処理や赤外線処理などの手段により層間剥離現
象を推進しておくのが好ましい。
【図面の簡単な説明】
【００２２】
【図１】本発明にかかる紙パウチの概念的平面図である。
【図２】本発明にかかる図１の紙パウチをノッチに従って開封した場合の概念的平面図である。
【図３】本発明にかかる紙パウチの概念的断面図である。
【図４】本発明にかかる図３とは異なる紙パウチの概念的断面図である。
【図５】従来にかかる紙パウチの概念的平面図である。
【図６】従来にかかる図５の紙パウチをノッチに従って開封した場合の概念的平面図である。
【発明を実施するための形態】
【００２３】
以下、本発明の詳細な形態について説明する。
【００２４】
本発明の紙パウチは、周囲のシール部１２と非シール部１１からなり、非シール部１１に内容物が封入され、その周囲に向かい合わせの紙パウチ基材をシールし、シール部１２を設ける構成になっている。図１の実施形態では、最終的に四方シールされているが、紙パウチ機材を折り曲げて用いる場合は、当然折り曲げた辺はパウチされることなく、残り三方にシール部１２が設けられることになる。
【００２５】
この紙パウチ基材の紙目方向１３は、左右方向になっており、左右方向に裂け目が進みやすい構造になっている。
【００２６】
そして、一方のシール部１２には端部から中央上部に向かってノッチ１４が設けられている。このノッチ１４は、開封の端緒となるべく設けられたもので、この例では端部より途中まで直線状に設けられているが、このような態様に限られることはなく、端部から少し離れた位置から開始するものでも、また、Ｖ字状など別な形状であっても構わない。
【００２７】
また、ノッチ１４は全厚みが切れている必要は無く、ミシン目のような構造でもよく、また、他の部分より脆弱であればいいので、シールした片方のシール基材のみに設ける構造や、ハーフカット、もしくはその一層や何層かのみカットされている構造など、各種ノッチの形態が採用できる。
【００２８】
ノッチ１４を設ける方法としては、刃物を用いたハーフカットや、レーザーを用いる方法がある。ノッチ１４を設けるタイミングとしては、各層を貼り合せる前でも後でも良いが、貼り合せた後で設ける方が、位置合せが容易である。
【００２９】
さらに、ノッチ１４により開封方向に剥離層である剥離ニス層１５が設けられている領域が存在する。これは、紙目に従って開封口が進行するのを妨害する位置に設けられているもので、この剥離ニス層１５が設けられている領域を避けると自然と上方へ裂ける方向が誘導され、最終的には上辺まで裂けることにより左上隅のみが開口し、例えば内容物の詰め替えなどを効率的に処理できるようになる。
【００３０】
この場合、剥離ニス層１５が設けられている領域は、当然ノッチの中側最先端付近もしくはそれより前の位置から設けることがこのましく、少なくとも剥離ニス層１５が設けられている領域まで裂ける前に紙目に従って裂けてしまう構造は好ましくない。
【００３１】
他方、剥離ニス層１５が設けられている領域は、上端の辺端に達するまで設けても良いが、それでは上端付近の領域でもシール強度が低下する場合もあるので、辺端まで設けな
い方が好ましい場合が多い。他方、あまりに辺端まで剥離ニス層１５が設けられている領域の距離があると、その途中で紙目方向に裂けてしまい、本願の目的が達成できないこともあるので、各層の材質により適宜好ましい距離を調節すればよい。
【００３２】
また、この剥離ニス層１５が設けられている領域の幅は、狭すぎると紙目方向への裂ける進行を止めることがでない現象が起こりやすくなる。他方、剥離ニス層１５が設けられている領域の幅が広すぎると、剥離ニス層による剥離が広幅で起こり、バリア性能やパウチ強度の低下が起こりやすくなり、これまた各層の材質により適宜好ましい幅を調節すればよい。
【００３３】
そこで実際に開封すると、図２に示す様に剥離層が設けられた縁辺に沿って開封線２６が進み、開封口が設けられ、紙目に沿って剥離層が設けられている部分に入って開封口が設けられることはない。
【００３４】
紙パウチの層構成については、図３に示す様に、紙層３５の内側に部分的に剥離層である剥離ニス層３８が設けられている。このような剥離層付き紙層の内側に支持層３３が設けられ、さらに内側にシーラント層３１が設けられている。他方、紙層３５の外側には最外層３７が設けられている。
【００３５】
この場合の剥離層付き紙層と支持層３３、支持層３３とシーラント層３１、剥離層付き紙層と最外層３７の間には、各々ラミネート層３２、３４、３６を設けている。
【００３６】
この場合のシーラント層３１は、シーラント層３１どうしを向かい合わせにして加熱接着することにより、シーラント層３１どうしが接着し、シール部を構成できるようになっている。
【００３７】
なお、この場合、紙層３５、剥離層３８、支持層３３、シーラント層３１、最外層３７の材質により、必ずしも各々のラミネート層３２、３４、３６のうち一部または全部が必要ない場合もある。
【００３８】
また、このようなラミネート層３２、３４、３６は、接着剤塗布により設けられたものでも、押出により設けられたものでもよい。
【００３９】
この場合の支持層３３は、バリア層などでも構わず、また、最外層３７は印刷基材やバリア層、その両方、もしくはその両層を持つものなど各種の構成が可能である。
【００４０】
また、別な実施形態として、図４に示す様に、紙層４５の外側に部分的に剥離層である剥離ニス層４８が設けられている。このような剥離層付き紙層の内側に支持層４３が設けられ、さらに内側にシーラント層４１が設けられている。他方、紙層４５の外側には最外層４７が設けられている。
【００４１】
この場合の剥離層付き紙層と支持層４３、支持層４３とシーラント層４１、剥離層付き紙層と最外層４７の間には、各々ラミネート層４２、４４、４６を設けている。
【００４２】
この場合のシーラント層４１は、シーラント層４１どうしを向かい合わせにして加熱接着することにより、シーラント層４１どうしが接着し、シール部を構成できるようになっている。
【００４３】
なお、この場合、紙層４５、剥離層４８、支持層４３、シーラント層４１、最外層４７の材質により、必ずしも各々のラミネート層４２、４４、４６のうち一部または全部が必
要ない場合もある。
【００４４】
また、このようなラミネート層４２、４４、４６は、接着剤塗布により設けられたものでも、押出により設けられたものでもよい。
【００４５】
この場合の支持層４３は、バリア層などでも構わず、また、最外層４７は印刷基材やバリア層、その両方、もしくはその両層を持つものなど各種の構成が可能である。
【００４６】
支持層または最外層としては、例えば、低密度ポリエチレン、中密度ポリエチレン、高密度ポリエチレン、綿状低密度ポリエチレン、ポリプロピレン、エチレンープロピレン共重合体、エチレンー酢酸ビニル共重合体、アイオノマー樹脂、エチレンーアクリル酸エチル共重合体、エチレンーアクリル酸またはメタクリル酸共重合体、メチルペンテンポリマー、ポリブテン系樹脂、ポリ塩化ビニル系樹脂、塩化ビニルー塩化ビニルデン共重合体、ポリ（メタ）アクリル系樹脂、ポリアクリルニトリル系樹脂、ポリスチレン系樹脂、アクリロニトリルースチレン共重合体（ＡＳ系樹脂）、アクリロニトリルーブタジェンースチレン共重合体（ＡＢＳ系樹脂）、ポリエステル系樹脂、ポリエステル系樹脂、ポリアミド系樹脂、ポリカーボネート系樹脂、ポリビニルアルコール系樹脂、エチレンー酢酸ビニル共重合体のケン化物、ジエン系樹脂、ポリアセタール系樹脂、ポリウレタン系樹脂、ニトロセルロース、その他の公知の樹脂フイルムないしシートから任意に選択して使用することができる。
【００４７】
支持層や最外層がバリア層の場合、例えば、アルミニウム箔、無機酸化物の薄膜、あるいはガスバリアー性樹脂層が利用できる。
【００４８】
この無機酸化物の薄膜としては、金属の酸化物をアモルファス（非晶質）化した薄膜が例示できる。無機酸化物としては、例えば、ケイ素（Ｓｉ）、アルミニウム（Ａｌ）、マグネシウム（Ｍｇ）、カルシウム（Ｃａ）、カリウム（Ｋ）、錫（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）などの酸化物が使用できる。その場合、これらの無機酸化物を用いて別な支持層上に無機酸化物蒸着層が形成することもできる。
【００４９】
なお、ポリエチレンテレフタレートフイルム、ポリアミドフイルム、ポリビニルアルコールフイルム等に蒸着して無機酸化物蒸着層を設けることもできる。
【００５０】
また、バリア層としては、エチレン−ビニルアルコール共重合体フイルム、ポリビニルアルコールフイルム、エチレン−酢酸ビニル共重合体ケン化物フイルム、ポリエチレンテレフタレートフイルム、ポリアミドフイルム、ポリビニルアルコールフイルム、各種フイルムにポリ塩化ビニリデンを塗工したフイルムないしシートなどが使用できる。
【００５１】
この場合、積層する方法としは、通常の包装材料を製造する際に使用するラミネート方法、例えば、ウエットラミネーション法、サンドイッチラミネーション法、ドライラミネーション法、サーマルラミネーション法、無溶剤型ラミネーション法、押し出しラミネーション法、Ｔダイ押し出し成形法、Ｔダイ共押し出しラミネーション法、インフレーション法、共押し出しインフレーション法などが使用できる。
【００５２】
また、積層を行う際には接着性を良くするためにコロナ処理あるいはオゾン処理、フレーム処理等の処理が用いられる。
【００５３】
紙層としては、例えば、上質紙、イミテーションアート紙、包装用原紙、中質紙、上更紙、更紙、模造紙、アート紙、マシンコート紙、クラフト紙、カード紙等が使用できる。
そして、必要に応じて紙層に折り曲げ線が形成できるものが好ましい。また、前記紙の坪量としては、パウチの大きさ、形態、材質構成等によってことなるが１００〜３００ｇ／ｍ２、好ましくは１８０〜２５０ｇ／ｍ２である。
【００５４】
剥離ニスとしては、公知の印刷用ワニスにシリコーン系、フッソ系、ワックス系等の滑剤を添加したものが使用できる。印刷時の位置合わせを容易にするために、適宜着色を施してもよい。
【００５５】
シーラント層としては、例えば、エチレン酢ビ、塩化ビニリデン、塩素化ポリオレフィン、ポリアミド、アクリル等の熱可塑性ポリマーを単独または混合したものから任意に選択して使用することができる。
【００５６】
ラミネート層としては、例えば、ポリエチレンイミン系、ポリブタジエン系、有機チタン系等のアンカーコーティング剤、あるいはポリウレタン系、ポリアクリル系、ポリエステル系、エポキシ系、ポリ酢酸ビニル系、セルロース系等のラミネート用接着剤等、公知のアンカーコート剤、接着剤等を任意に使用することができる。
【００５７】
対して従来の紙パウチは、周囲のシール部５２と非シール部５１からなり、非シール部５１に内容物が封入され、その周囲に向かい合わせの紙パウチ基材をシールし、シール部５２を設ける構成になっている。図５の形態では、最終的に四方シールされているが、紙パウチ機材を折り曲げて用いる場合は、当然折り曲げた辺はパウチされることなく、残り三方にシール部５２が設けられることになる。
【００５８】
この紙パウチ基材の紙目方向５３は、左右方向になっており、左右方向に裂け目が進みやすい構造になっている。
【００５９】
そして、一方のシール部５２には端部から中央上部に向かってノッチ５４が設けられている。このノッチ５４は、開封の端緒となるべく設けられたもので、この例では端部より途中まで直線状に設けられているが、このような態様に限られることはなく、端部から少し離れた位置から開始するものでも、また、Ｖ字状など別な形状である場合もある。
【００６０】
また、ノッチ５４は全厚みが切れている必要は無く、ミシン目のような構造の場合もあり、他の部分より脆弱であればいいので、シールした片方のシール基材のみに設ける構造や、ハーフカット、もしくはその一層や何層かのみカットされている構造など、各種ノッチの形態が採用できる。
【００６１】
そこで実際に開封すると、図６に示す様に剥離層が存在しないために、ノッチ６４の先端から紙目に沿って開封線６６が進み、開封口が設けられ、水平方向に大きく開口してしまい、使用に不便になった。
【符号の説明】
【００６２】
１１、２１、５１、６１  …シール部
１２、２２、５２、６２  …非シール部
１３、２３、５３、６３  …紙目方向
１４、２４、５４、６４  …ノッチ
１５、２５  …剥離ニス層
２６、６６  …開封線
３１、４１  …シーラント層
３２、３４、３６、４２、４４、４６  …ラミネート層
３３、４３  …支持層
３５、４５  …紙層
３７、４７  …最外層
３８、４８  …剥離層
【図１】
2017137109.tif 000003
【図２】
2017137109.tif 000004
【図３】
2017137109.tif 000005
【図４】
2017137109.tif 000006
【図５】
2017137109.tif 000007
【図６】
2017137109.tif 000008